(57)【要約】【課題】手摺ガイドレールに対する発光装置の手摺ガイドレールに沿った方向についての位置を調節することができる乗客コンベヤ欄干照明装置を得る。【解決手段】基板４０４およびＬＥＤ素子４０５を有したＬＥＤユニット４０１と、手摺ガイドレール２に設けられ、ＬＥＤユニット４０１を保持する保持装置４０２とを備え、保持装置４０２は、互いに離れて設けられた一対の爪部４１１およびそれぞれの爪部４１１を連結する連結部４１２を含む保持部材４０９と、手摺ガイドレール２に設けられ、保持部材４０９を支持する支持部材４１０とを有し、一対の爪部４１１は、保持装置４０２が手摺ガイドレール２に設けられた場合に、手摺ガイドレール２に沿った方向にＬＥＤユニット４０１がスライド可能となるように、基板４０４の幅方向両端部を支持する。【選択図】図４
2014118226.tif 000002
【特許請求の範囲】
【請求項１】
手摺ガイドレールに取り付けられる乗客コンベヤ欄干照明装置であって、
基板および前記基板に設けられた発光素子を有した発光装置と、
前記手摺ガイドレールに設けられ、前記発光装置を保持する保持装置と
を備え、
前記保持装置は、互いに離れて設けられた一対の爪部およびそれぞれの前記爪部を連結する連結部を含む保持部材と、前記手摺ガイドレールに設けられ、前記保持部材を支持する支持部材とを有し、
前記一対の爪部は、前記保持装置が前記手摺ガイドレールに設けられた場合に、前記手摺ガイドレールに沿った方向に前記発光装置がスライド可能となるように、前記基板の幅方向両端部を支持することを特徴とする乗客コンベヤ欄干照明装置。
【請求項２】
前記基板の幅方向端部には、前記基板に垂直な方向に前記爪部が挿入可能な切欠き部が形成されていることを特徴とする請求項１に記載の乗客コンベヤ欄干照明装置。
【請求項３】
前記支持部材は、前記手摺ガイドレールから下方に延びる下方延部と、前記下方延部の下端部から前記手摺ガイドレールに沿って延びた下辺部とを含み、
前記保持部材は、前記下辺部に沿った方向に前記支持部材に対して移動することによって、前記支持部材に支持される支持位置と、前記支持部材による支持が解除される解除位置との間で変位することを特徴とする請求項１または請求項２に記載の乗客コンベヤ欄干照明装置。
【請求項４】
前記支持部材は、前記手摺ガイドレールと前記保持部材との間の距離が調節可能となるように前記保持部材を支持することを特徴とする請求項１ないし請求項３の何れか一項に記載の乗客コンベヤ欄干照明装置。
【請求項５】
前記保持部材および前記支持部材は、一体成形によって形成されていることを特徴とする請求項１または請求項２に記載の乗客コンベヤ欄干照明装置。
【請求項６】
前記保持部材は、前記発光装置の全体を収容することを特徴とする請求項１ないし請求項５の何れか一項に記載の乗客コンベヤ欄干照明装置。
【請求項７】
前記保持装置に設けられ、前記発光装置を覆う照明カバーをさらに備えたことを特徴とする請求項１ないし請求項６の何れか一項に記載の乗客コンベヤ欄干照明装置。
【発明の詳細な説明】
【技術分野】
【０００１】
この発明は、手摺ガイドレールに取り付けられる乗客コンベヤ欄干照明装置に関する。
【背景技術】
【０００２】
従来、基板とこの基板に実装されたＬＥＤ素子とを有し、貫通孔が形成されたＬＥＤユニットと、手摺ガイドレールに形成された貫通孔およびＬＥＤユニットの貫通孔に挿入されるボルトと、ボルトと係合し、ボルトの頭部との間で手摺ガイドレールおよびＬＥＤユニットを挟むナットとを備え、ボルトが手摺ガイドレールの貫通孔およびＬＥＤユニットの貫通孔に挿入された状態でナットと係合することによって、ＬＥＤユニットが手摺ガイドレールに固定されるエスカレータ欄干照明装置が知られている（例えば、特許文献１参照）。
【先行技術文献】
【特許文献】
【０００３】
【特許文献１】特開２０１１−１１６４９８号公報
【発明の概要】
【発明が解決しようとする課題】
【０００４】
しかしながら、例えば、蛍光灯を備えた既設のエスカレータ欄干照明装置を、ＬＥＤユニットを備えた新規のエスカレータ欄干照明装置に交換する場合であって、蛍光灯を手摺ガードレールに固定するために既に形成されている貫通孔にボルトを挿入して、ＬＥＤユニットを手摺ガードレールに固定する場合には、手摺ガイドレールに対するＬＥＤユニットの手摺ガイドレールに沿った方向についての位置を調節することができない。その結果、新規のエスカレータ欄干照明装置を任意の位置に設置することができないという問題点があった。
【０００５】
この発明は、手摺ガイドレールに対する発光装置の手摺ガイドレールに沿った方向についての位置を調節することができる乗客コンベヤ欄干照明装置を提供するものである。
【課題を解決するための手段】
【０００６】
この発明に係る乗客コンベヤ欄干照明装置は、手摺ガイドレールに取り付けられる乗客コンベヤ欄干照明装置であって、基板およびこの基板に設けられた発光素子を有した発光装置と、手摺ガイドレールに設けられ、発光装置を保持する保持装置とを備え、保持装置は、互いに離れて設けられた一対の爪部およびそれぞれの爪部を連結する連結部を含む保持部材と、手摺ガイドレールに設けられ、保持部材を支持する支持部材とを有し、一対の爪部は、保持装置が手摺ガイドレールに設けられた場合に、手摺ガイドレールに沿った方向に発光装置がスライド可能となるように、基板の幅方向両端部を支持する。
【発明の効果】
【０００７】
この発明に係る乗客コンベヤ欄干照明装置によれば、基板およびこの基板に設けられた発光素子を有した発光装置と、手摺ガイドレールに設けられ、発光装置を保持する保持装置とを備え、保持装置は、互いに離れて設けられた一対の爪部およびそれぞれの爪部を連結する連結部を含む保持部材と、手摺ガイドレールに設けられ、保持部材を支持する支持部材とを有し、一対の爪部は、保持装置が手摺ガイドレールに設けられた場合に、手摺ガイドレールに沿った方向に発光装置がスライド可能となるように、基板の幅方向両端部を支持するので、乗客コンベヤ欄干照明装置を手摺ガイドレールに取り付ける際に、手摺ガイドレールに対する発光装置の手摺ガイドレールに沿った方向についての位置を調節することができる。
【図面の簡単な説明】
【０００８】
【図１】この発明の実施の形態１に係るエスカレータ欄干装置を示す構成図である。
【図２】図１のＡ部を示す拡大図である。
【図３】図２のＩＩＩ−ＩＩＩ線に沿った矢視断面図である。
【図４】図２のＩＶ−ＩＶ線に沿った矢視断面図である。
【図５】図４のＬＥＤユニットを示す拡大図である。
【図６】図５のＬＥＤユニットを示す側面図である。
【図７】図６のＬＥＤユニットを示す平面図である。
【図８】図４の保持部材を示す拡大図である。
【図９】図８の保持部材を示す平面図である。
【図１０】図４のＬＥＤユニット、保持部材、ブラケット、皿ねじおよびナットを示す正面図である。
【図１１】図１０のブラケットが手摺ガイドレール基部に取り付けられた状態を示す正面図である。
【図１２】この発明の実施の形態２に係るエスカレータ欄干装置を示す側面図である。
【図１３】図１２のＸＩＩＩ−ＸＩＩＩ線に沿った矢視断面図である。
【図１４】図１３の保持部材を示す拡大図である。
【図１５】図１４の保持部材を示す平面図である。
【図１６】図１２のブラケットに保持部材を取り付ける様子を示す正面図である。
【図１７】この発明の実施の形態３に係るエスカレータ欄干装置を示す側面図である。
【図１８】図１７のＸＶＩＩ−ＸＶＩＩ線に沿った矢視断面図である。
【図１９】図１７の保持装置を示す拡大図である。
【図２０】この発明の実施の形態４に係るエスカレータ欄干装置を示す側面図である。
【図２１】図２０のＸＸＩ−ＸＸＩ線に沿った矢視断面図である。
【図２２】図２１の保持装置を示す拡大図である。
【図２３】図２２の保持装置を示す平面図である。
【図２４】この発明の実施の形態５に係るエスカレータ欄干装置を示す側面図である。
【図２５】図２４のＸＸＶ−ＸＸＶ線に沿った矢視断面図である。
【図２６】図２５のＬＥＤユニットおよび保持装置を示す拡大図である。
【図２７】図２６のＬＥＤユニットおよび保持装置を分解正面図である。
【図２８】図２４のＬＥＤユニットおよび保持装置を示す正面図である。
【図２９】図２８のＬＥＤユニットおよび保持装置を示す平面図である。
【図３０】この発明の実施の形態６に係るエスカレータ欄干装置を示す側面図である。
【図３１】図３０のＢ部を示す拡大図である。
【図３２】図３１のＸＸＸＩＩ−ＸＸＸＩＩ線に沿った矢視断面図である。
【図３３】図３０のＬＥＤユニットおよび保持装置を示す正面図である。
【図３４】図３３のＸＸＸＩＶ−ＸＸＸＩＶ線に沿った矢視断面図である。
【図３５】図３３のＣ部を示す拡大図である。
【発明を実施するための形態】
【０００９】
以下、この発明の各実施の形態を図に基づいて説明するが、各図において、同一または相当の部材、部位については、同一符号を付して説明する。
【００１０】
実施の形態１．
図１はこの発明の実施の形態１に係るエスカレータ欄干装置を示す構成図である。図において、エスカレータ欄干装置（乗客コンベヤ欄干装置）は、上階側階床（図示せず）と下階側階床（図示せず）との間に渡って設けられた欄干１と、欄干１に支持された手摺ガイドレール２と、手摺ガイドレール２に案内される移動手摺３と、手摺ガイドレール２に設けられたエスカレータ欄干照明装置（乗客コンベヤ欄干照明装置）４とを備えている。
【００１１】
欄干１は、主枠の長手方向に間隔をおいて並べて立てられた複数の欄干柱１０１と、各欄干柱１０１を覆う欄干柱カバー１０２と、隣り合う欄干柱１０１の間に設けられた内側板１０３とを有している。
【００１２】
図２は図１のＡ部を示す拡大図、図３は図２のＩＩＩ−ＩＩＩ線に沿った矢視断面図である。手摺ガイドレール２は、内側板１０３に取り付けられる手摺ガイドレール基部２０１と、手摺ガイドレール基部２０１の上部に設けられ、移動手摺３を案内する手摺案内部材２０２と、手摺ガイドレール基部２０１に対して手摺案内部材２０２を固定する固定装置２０３とを有している。
【００１３】
手摺ガイドレール基部２０１は、固定装置２０３が設けられる平板形状のベース部２０４を有している。ベース部２０４は、往路側の移動手摺３の部分の移動経路に沿って延びて形成されている。ベース部２０４は、幅方向が移動手摺３の幅方向と一致するように配置されている。ベース部２０４には、上下方向、つまり、厚み方向に貫通した貫通孔２０５が形成されている。
【００１４】
手摺案内部材２０２は、ベース部２０４よりも上方に配置されている。手摺案内部材２０２には、貫通孔２０５を通る軸線の延長線上に配置された貫通孔２０６が形成されている。
【００１５】
固定装置２０３は、貫通孔２０５および貫通孔２０６の順に下方から挿入されるボルト２０７と、ベース部２０４の上面に設けられ、ボルト２０７と係合するナット２０８と、手摺案内部材２０２の上面に設けられ、ボルト２０７と係合するナット２０９とを有している。ボルト２０７がナット２０８と係合することにより、ボルト２０７が手摺ガイドレール基部２０１に固定される。ボルト２０７がナット２０９と係合することによって、手摺案内部材２０２が手摺ガイドレール基部２０１に固定される。
【００１６】
図４は図２のＩＶ−ＩＶ線に沿った矢視断面図である。エスカレータ欄干照明装置４は、複数のＬＥＤユニット（発光装置）４０１と、手摺ガイドレール基部２０１に設けられ、ＬＥＤユニット４０１を保持する保持装置４０２と、手摺ガイドレール基部２０１に設けられ、ＬＥＤユニット４０１を下方から覆う照明カバー装置４０３とを備えている。複数のＬＥＤユニット４０１は、手摺ガイドレール２に沿って一列に並べて配置されている。隣り合うＬＥＤユニット４０１は、電気的に接続されている。ＬＥＤユニット４０１には、ＬＥＤユニット４０１に電力を供給する電源装置（図示せず）が接続されている。
【００１７】
図５は図４のＬＥＤユニット４０１を示す拡大図、図６は図５のＬＥＤユニット４０１を示す側面図、図７は図６のＬＥＤユニット４０１を示す平面図である。ＬＥＤユニット４０１は、樹脂製の基板４０４と、基板４０４の表面側に設けられた複数のＬＥＤ素子（発光素子）４０５と、ＬＥＤ素子４０５に電気的に接続された電線４０６とを有している。
【００１８】
基板４０４は、一方向に延びた板形状に形成されている。基板４０４は、幅方向両端部に、薄肉部４０７を有している。薄肉部４０７の厚さ方向の寸法は、基板４０４の幅方向中央部における厚さ方向の寸法よりも小さい。薄肉部４０７は、基板４０４の厚み方向について基板４０４の裏面側に偏って配置されている。つまり、基板４０４の幅方向両端部の表面部分には、段差部が形成されている。
【００１９】
基板４０４の幅方向両端部には、切欠き部４０８が形成されている。つまり、薄肉部４０７には、切欠き部４０８が形成されている。それぞれの切欠き部４０８は、基板４０４の長手方向について同じ位置に配置されている。切欠き部４０８が形成されている基板４０４の部分の幅方向の寸法は、所定の寸法となっている。また、切欠き部４０８の基板４０４の長手方向についての寸法は、所定の寸法となっている。
【００２０】
ＬＥＤ素子４０５は、基板４０４の長手方向に並べて配置されている。ＬＥＤ素子４０５は、電線４０６を介して電力が供給されることによって発光する。
【００２１】
電線４０６は、基板４０４の長手方向両端部に設けられている。隣り合うＬＥＤユニット４０１は、互いの電線４０６が接続される。複数のＬＥＤユニット４０１は、直列に接続される。
【００２２】
図４に示すように、ベース部２０４には、上下方向、つまり、厚み方向に貫通した貫通孔２１０が形成されている。貫通孔２１０は、貫通孔２０５（図３）に対して、手摺ガイドレール基部２０１の長手方向について離れて配置されている。
【００２３】
保持装置４０２は、ＬＥＤユニット４０１を支持する金属製または樹脂製の保持部材４０９と、ベース部２０４に設けられ、保持部材４０９を支持する支持部材４１０とを有している。
【００２４】
図８は図４の保持部材４０９を示す拡大図、図９は図８の保持部材４０９を示す平面図である。保持部材４０９は、断面が略Ｃ字形状となるように形成されている。保持部材４０９は、互いに離れて設けられた一対の爪部４１１と、それぞれの爪部４１１を連結する連結部４１２とを有している。連結部４１２には、厚さ方向に貫通した皿孔４１３が形成されている。
【００２５】
一対の爪部４１１の間の寸法は、切欠き部４０８（図７）が形成されている基板４０４（図７）の部分の幅方向の寸法よりも大きく、切欠き部４０８が形成されていない基板４０４の部分の幅方向の寸法よりも小さい。また、基板４０４の長手方向についての爪部４１１の寸法は、基板４０４の長手方向についての切欠き部４０８の寸法よりも小さい。これにより、一対の爪部４１１は、基板４０４を幅方向に挟むようにして、基板４０４に垂直な方向に切欠き部４０８に挿入可能なる。したがって、一対の爪部４１１は、切欠き部４０８を通って、基板４０４の表面側から裏面側に移動することができる。
【００２６】
保持部材４０９の内部空間は、幅方向の寸法が基板４０４（図７）の幅方向の寸法よりも僅かに大きくなっており、厚み方向の寸法が基板４０４の厚み方向の寸法よりも僅かに大きくなっている。保持部材４０９と基板４０４との間に発生する摩擦力は、作業者によって外力が加えられた場合にのみＬＥＤユニット４０１が保持部材４０９に対してスライドすることができる程度の力となっている。つまり、一対の爪部４１１は、保持部材４０９がブラケット４１４（図４）を介して手摺ガイドレール基部２０１（図４）に取り付けられた場合に、手摺ガイドレール基部２０１に沿った方向にＬＥＤユニット４０１がスライド可能となるように、基板４０４の幅方向両端部を支持する。
【００２７】
図４に示すように、支持部材４１０は、断面がコ字形状のブラケット４１４と、保持部材４０９およびブラケット４１４に設けられる皿ねじ４１５と、ブラケット４１４に設けられ、皿ねじ４１５と係合するナット４１６と、ブラケット４１４およびベース部２０４に設けられるボルト４１７と、ブラケット４１４に設けられ、ボルト４１７と係合するナット４１８とを有している。
【００２８】
図１０は図４のＬＥＤユニット４０１、保持部材４０９、ブラケット４１４、皿ねじ４１５およびナット４１６を示す正面図である。ブラケット４１４は、鋼板を折り曲げることによって形成されている。ブラケット４１４は、ベース部２０４（図４）の下面と面接触する平板形状の上辺部４１９と、上辺部４１９に設けられ、ベース部２０４から下方に延びた平板形状の下方延部４２０と、下方延部４２０の下端部に設けられ、連結部４１２の上面と面接触する平板形状の下辺部４２１とを有している。上辺部４１９および下辺部４２１は、ブラケット４１４がベース部２０４に取り付けられた場合に、手摺ガイドレール基部２０１の長手方向に延びるように形成されている。
【００２９】
上辺部４１９には、厚さ方向に貫通した貫通孔４２２が形成されている。下辺部４２１には、厚さ方向に貫通した貫通孔４２３が形成されている。
【００３０】
皿ねじ４１５が皿孔４１３および貫通孔４２３に下方から順に挿入され、皿孔４１３および貫通孔４２３を貫通した皿ねじ４１５の先端部にナット４１６が係合することによって、保持部材４０９がブラケット４１４に固定される。
【００３１】
図４に示すように、ボルト４１７が貫通孔２１０および貫通孔４２２（図１０）に上方から順に挿入され、貫通孔２１０および貫通孔４２２を貫通したボルト４１７の先端部にナット４１８が係合することによって、ブラケット４１４が手摺ガイドレール基部２０１に固定される。ナット４１８は、上辺部４１９（図１０）の下面に溶接によって固着されている。なお、ナット４１８は、上辺部４１９に固着されていなくてもよい。
【００３２】
ブラケット４１４の高さ方向の寸法は、ベース部２０４からＬＥＤユニット４０１までの寸法Ｈが所定の値となるように設定されている。つまり、ブラケット４１４の高さ方向の寸法は、ＬＥＤユニット４０１が保持装置４０２を介して手摺ガイドレール基部２０１に取り付けられた場合に、ベース部２０４からＬＥＤユニット４０１までの寸法Ｈが所定の値となるように設定されている。
【００３３】
照明カバー装置４０３は、照明カバー４２４と、手摺ガイドレール基部２０１に設けられ、照明カバー４２４を手摺ガイドレール基部２０１に対して押圧する照明カバー押さえ部材４２５と、照明カバー押さえ部材４２５を手摺ガイドレール基部２０１に取り付けるボルト４２６とを有している。
【００３４】
次に、エスカレータ欄干照明装置４の組立手順について説明する。この例では、既設の蛍光ランプを新規のＬＥＤユニット４０１に交換する手順について説明する。まず、移動手摺３を手摺案内部材２０２から取り外し、さらに、手摺案内部材２０２を手摺ガイドレール基部２０１から取り外し、照明カバー装置４０３を手摺ガイドレール基部２０１から取り外した後、手摺ガイドレール基部２０１から既設の蛍光ランプ（図示せず）を取り外す。
【００３５】
その後、皿ねじ４１５およびナット４１６を用いて、保持部材４０９をブラケット４１４に固定する。
【００３６】
その後、複数のＬＥＤユニット４０１を直列に結線する。また、結線した複数のＬＥＤユニット４０１を保持部材４０９に取り付ける。
【００３７】
その後、図１１に示すように、ボルト４１７およびナット４１８を用いて、ブラケット４１４を手摺ガイドレール基部２０１に固定する。
【００３８】
その後、図４に示すように、照明カバー装置４０３を手摺ガイドレール基部２０１に取り付け、手摺案内部材２０２を手摺ガイドレール基部２０１に取り付け、移動手摺３を手摺案内部材２０２に取り付ける。以上により、エスカレータ欄干照明装置４の組立が終了する。
【００３９】
以上説明したように、この発明の実施の形態１に係るエスカレータ欄干照明装置４によれば、基板４０４およびこの基板４０４に設けられたＬＥＤ素子４０５を有したＬＥＤユニット４０１と、手摺ガイドレール基部２０１に設けられ、ＬＥＤユニット４０１を保持する保持装置４０２とを備え、保持装置４０２は、互いに離れて設けられた一対の爪部４１１およびそれぞれの爪部４１１を連結する連結部４１２を含む保持部材４０９と、手摺ガイドレール基部２０１に設けられ、保持部材４０９を支持する支持部材４１０とを有し、一対の爪部４１１は、保持装置４０２が手摺ガイドレール基部２０１に設けられた場合に、手摺ガイドレール基部２０１に沿った方向にＬＥＤユニット４０１がスライド可能となるように、基板４０４の幅方向両端部を支持するので、エスカレータ欄干照明装置４を手摺ガイドレール２に取り付ける際に、手摺ガイドレール２に対するＬＥＤユニット４０１の手摺ガイドレール２に沿った方向についての位置を調節することができる。
【００４０】
また、基板４０４の幅方向両端部には、基板４０４に垂直な方向に爪部４１１が挿入可能な切欠き部４０８が形成されているので、一対の爪部４１１は、切欠き部４０８を通って、基板４０４の表面側から裏面側に移動することができる。その結果、ＬＥＤユニット４０１を保持部材４０９に容易に取り付けることができる。
【００４１】
実施の形態２．
図１２はこの発明の実施の形態２に係るエスカレータ欄干装置を示す側面図である。図において、ブラケット４１４は、断面が略Ｚ字形状となるように形成されている。下辺部４２１は、下方延部４２０の下端部から手摺ガイドレール基部２０１に沿った方向に延びて形成されている。下辺部４２１は、先端部が基端部よりも上方に位置するように水平面に対して傾斜して配置されている。つまり、下辺部４２１は、先端部が上階側階床を向くように配置されている。
【００４２】
図１３は図１２のＸＩＩＩ−ＸＩＩＩ線に沿った矢視断面図、図１４は図１３の保持部材４０９を示す拡大図、図１５は図１４の保持部材４０９を示す平面図、図１６は図１２のブラケット４１４に保持部材４０９を取り付ける様子を示す正面図である。支持部材４１０は、保持部材４０９を支持するブラケット４１４と、ブラケット４１４およびベース部２０４に設けられるボルト４１７と、ベース部２０４に設けられ、ボルト４１７と係合するナット４１８とを有しており、実施の形態１に記載の支持部材４１０と異なり、保持部材４０９およびブラケット４１４に設けられる皿ねじ４１５（図１０）と、ブラケット４１４に設けられ、皿ねじ４１５と係合するナット４１６（図１０）とを有していない。
【００４３】
保持部材４０９の内部空間における厚み方向の寸法は、基板４０４の厚み方向の寸法と下辺部４２１の厚み方向の寸法とを足した値よりも僅かに大きくなっている。これにより、下辺部４２１は、ＬＥＤユニット４０１が保持部材４０９に支持されている状態において、ＬＥＤユニット４０１と連結部４１２との間に挿入することができる。
【００４４】
連結部４１２には、実施の形態１に記載の連結部４１２と異なり、皿孔４１３（図８）が形成されていない。
【００４５】
保持部材４０９は、下辺部４２１に沿った方向にブラケット４１４に対して移動することによって、下辺部４２１がＬＥＤユニット４０１と保持部材４０９との間に挿入されて保持部材４０９が支持部材４１０に支持される支持位置と、下辺部４２１がＬＥＤユニット４０１と保持部材４０９との間から引き抜かれて支持部材４１０による保持部材４０９の支持が解除される解除位置との間で変位する。その他の構成は、実施の形態１と同様である。
【００４６】
次に、エスカレータ欄干照明装置４の組立手順について説明する。蛍光ランプを取り外すまでの手順は、実施の形態１と同様である。その後、ＬＥＤユニット４０１を保持部材４０９に取り付ける。また、ボルト４１７およびナット４１８を用いて、ブラケット４１４を手摺ガイドレール基部２０１に固定する。
【００４７】
その後、保持部材４０９を下辺部４２１にスライドさせて、保持部材４０９を支持部材４１０に取り付ける。その後の手順は、実施の形態１と同様である。
【００４８】
以上説明したように、この発明の実施の形態２に係るエスカレータ欄干照明装置４によれば、支持部材４１０は、手摺ガイドレール基部２０１から下方に延びる下方延部４２０と、下方延部４２０の下端部から手摺ガイドレール基部２０１に沿って延びた下辺部４２１とを含み、保持部材４０９は、下辺部４２１に沿った方向に支持部材４１０に対して移動することによって、支持部材４１０に支持される支持位置と、支持部材４１０による支持が解除される解除位置との間で変位するので、保持部材４０９およびブラケット４１４に設けられる皿ねじ４１５と、ブラケット４１４に設けられ、皿ねじ４１５と係合するナット４１６とを用いることなく、保持部材４０９をブラケット４１４に容易に取り付けることができる。また、保持部材４０９に皿孔４１３（図１０）を形成する必要がなく、ブラケット４１４に貫通孔４２３（図１０）を形成する必要がないので、保持部材４０９および支持部材４１０の加工を容易にすることができる。
【００４９】
実施の形態３．
図１７はこの発明の実施の形態３に係るエスカレータ欄干装置を示す側面図、図１８は図１７のＸＶＩＩ−ＸＶＩＩ線に沿った矢視断面図、図１９は図１７の保持装置４０２を示す拡大図である。図において、支持部材４１０は、皿孔４１３に下方から挿入される皿ねじ４１５と、連結部４１２の上に設けられた座金４２７と、座金４２７の上に重ねて設けられた円筒形状のカラー４２８と、カラー４２８の上に重ねて設けられ、皿ねじ４１５と係合するナット４２９と、ベース部２０４の上面に設けられ、皿ねじ４１５と係合するナット４１８とを有している。
【００５０】
カラー４２８は、ベース部２０４からＬＥＤユニット４０１までの寸法Ｈが所定の値となるように、長さ方向の寸法が設定されている。カラー４２８の長さを変更することによって、ベース部２０４とＬＥＤユニット４０１との間の距離、言い換えれば、手摺ガイドレール基部２０１と保持部材４０９との間の距離を調節することができる。皿ねじ４１５が、保持部材４０９、座金４２７、カラー４２８およびナット４２９を貫通し、さらに、ベース部２０４の貫通孔２１０に下方から挿入された状態で、ナット４１８と皿ねじ４１５とが係合することによって、保持装置４０２が手摺ガイドレール基部２０１に固定される。
【００５１】
皿ねじ４１５の上端部には、ドライバー（図示せず）を差し込むためのすり割り４３０が形成されている。ナット４１８を皿ねじ４１に係合させる際に、皿ねじ４１５がナット４１８とともに回転してしまうことを防止するために、すり割り４３０にドライバーが差し込まれる。その他の構成は、実施の形態１と同様である。
【００５２】
次に、エスカレータ欄干照明装置４の組立手順について説明する。蛍光ランプを取り外すまでの手順は、実施の形態１と同様である。その後、隣り合うＬＥＤユニット４０１を結線する。
【００５３】
その後、皿ねじ４１５を皿孔４１３に下方から挿入し、さらに、皿ねじ４１５に座金４２７、カラー４２８およびナット４２９を取り付ける。
【００５４】
その後、皿ねじ４１５を貫通孔２１０に下方から挿入して、皿ねじ４１５にナット４１８を係合させる。このとき、すり割り４３０にドライバーを差し込んで、皿ねじ４１５がナット４１８とともに回転することを防止する。これにより、保持装置４０２が手摺ガイドレール基部２０１に取り付けられる。その後の手順は、実施の形態１と同様である。
【００５５】
以上説明したように、この発明の実施の形態３に係るエスカレータ欄干照明装置４によれば、支持部材４１０は、手摺ガイドレール基部２０１と保持部材４０９との間の距離が調節可能となるように保持部材４０９を支持するので、手摺ガイドレール基部２０１に対するＬＥＤユニット４０１の距離を容易に調節することができる。
【００５６】
実施の形態４．
図２０はこの発明の実施の形態４に係るエスカレータ欄干装置を示す側面図、図２１は図２０のＸＸＩ−ＸＸＩ線に沿った矢視断面図、図２２は図２１の保持装置４０２を示す拡大図、図２３は図２２の保持装置４０２を示す平面図である。保持装置４０２は、保持部材４０９と、保持部材４０９に設けられた支持部材４１０と、ベース部２０４の上に設けられ、支持部材４１０と係合するボルト４１７とを有している。支持部材４１０は、連結部４１２の上面に配置されている。保持部材４０９と支持部材４１０は、一体成形によって形成されている。支持部材４１０の上面には、ボルト４１７が挿入されるねじ孔４３１が形成されている。ボルト４１７と支持部材４１０とが係合することによって、保持装置４０２が手摺ガイドレール基部２０１に固定される。その他の構成は、実施の形態１と同様である。
【００５７】
以上説明したように、この発明の実施の形態４に係るエスカレータ欄干照明装置４によれば、保持部材４０９および支持部材４１０は、一体成形によって形成されているので、ＬＥＤユニット４０１を手摺ガイドレール基部２０１に容易に着脱することができる。また、保持部材４０９に皿孔４１３（図１０）を形成する必要がなく、ブラケット４１４に貫通孔４２３（図１０）を形成する必要がないので、保持部材４０９および支持部材４１０の加工を容易にすることができる。また、保持部材４０９には皿ねじ４１５が不要となるので、保持部材４０９の構成を簡単にすることができる。
【００５８】
実施の形態５．
図２４はこの発明の実施の形態５に係るエスカレータ欄干装置を示す側面図、図２５は図２４のＸＸＶ−ＸＸＶ線に沿った矢視断面図、図２６は図２５のＬＥＤユニット４０１および保持装置４０２を示す拡大図、図２７は図２６のＬＥＤユニット４０１および保持装置４０２を分解正面図である。図において、保持部材４０９は、断面がコ字形状のケース４３２と、ケース４３２に設けられ、ＬＥＤユニット４０１を支持する一対の支持金４３３と、各支持金４３３をケース４３２に取り付けるための取付ねじ４３４とを有している。ケース４３２は、平板形状の基部４３５と、基部４３５の幅方向両端部から基部４３５に垂直な方向に延びた一対の腕部４３６とを含んでいる。腕部４３６には、取付ねじ４３４が挿入される貫通孔４３７が形成されている。支持金４３３には、取付ねじ４３４が挿入されるねじ孔４３８が形成されている。複数のＬＥＤユニット４０１をケース４３２の内側に収容した状態で、取付ねじ４３４を貫通孔４３７およびねじ孔４３８に挿入することによって支持金４３３をケース４３２に取り付ける。これにより、ＬＥＤユニット４０１の全体が保持部材４０９に収容される。
【００５９】
支持部材４１０は、基部４３５の上面に溶接によって固定されている。支持部材４１０の上端部の外周面には、ナット４１８と係合するねじ溝４３９が形成されている。
【００６０】
図２８は図２４のＬＥＤユニット４０１および保持装置４０２を示す正面図、図２９は図２８のＬＥＤユニット４０１および保持装置４０２を示す平面図である。基部４３５の長手方向中間部分であって、ＬＥＤユニット４０１の電線４０６に対向する基部４３５の部分には、複数の貫通孔４４０が形成されている。基部４３５の長手方向両端部分であって、ＬＥＤユニット４０１の電線４０６に対向する基部４３５の部分には、切欠き部４４１が形成されている。貫通孔４４０および切欠き部４４１には、電線４０６が挿入されている。これにより、隣り合うＬＥＤユニット４０１の電線４０６は、ケース４３２の外側で互いに接続することができる。その結果、保持装置４０２を介してＬＥＤユニット４０１を手摺ガイドレール基部２０１に固定した後に、隣り合うＬＥＤユニット４０１の間の電線４０６を互いに接続することができる。
【００６１】
以上説明したように、この発明の実施の形態５に係るエスカレータ欄干照明装置４によれば、保持部材４０９は、ＬＥＤユニット４０１の全体を収容しているので、ＬＥＤユニット４０１が保持部材４０９に取り付けられた状態で持ち運ぶ場合に、ＬＥＤユニット４０１の損傷の発生を防止することができる。
【００６２】
実施の形態６．
図３０はこの発明の実施の形態６に係るエスカレータ欄干装置を示す側面図、図３１は図３０のＢ部を示す拡大図、図３２は図３１のＸＸＸＩＩ−ＸＸＸＩＩ線に沿った矢視断面図、図３３は図３０のＬＥＤユニット４０１および保持装置４０２を示す正面図、図３４は図３３のＸＸＸＩＶ−ＸＸＸＩＶ線に沿った矢視断面図、図３５は図３３のＣ部を示す拡大図である。図において、照明カバー装置４０３は、支持部材４１０に支持される照明カバー取付部材４４２と、照明カバー取付部材４４２に設けられる照明カバー４２４と、照明カバー４２４を照明カバー取付部材４４２に固定するための一対の皿ねじ４４３と、皿ねじ４４３と係合するナット４４４を有している。なお、照明カバー装置４０３は、皿ねじ４４３およびナット４４４を有さずに、照明カバー４２４と照明カバー取付部材４４２とが係合可能な構造であってもよい。
【００６３】
照明カバー４２４の長手方向両端部は、欄干柱カバー１０２との隙間が、欄干柱カバー１０２の長手方向について均一となるように形成されている。照明カバー取付部材４４２は、保持部材４０９とブラケット４１４との間に挟まれている。照明カバー取付部材４４２は、保持部材４０９が支持部材４１０に固定される際に、支持部材４１０に固定される。照明カバー４２４は、照明カバー４２４が支持部材４１０に固定された場合に、手摺ガイドレール基部２０１の内側に収容されるように形成されている。その他の構成は、実施の形態１と同様である。
【００６４】
以上説明したように、この発明の実施の形態６に係るエスカレータ欄干照明装置４によれば、保持装置４０２に設けられ、ＬＥＤユニット４０１を覆う照明カバー４２４をさらに備えたので、ＬＥＤユニット４０１を手摺ガイドレール２に取り付ける際に、同時に照明カバー４２４を手摺ガイドレール２に取り付けることができる。また、照明カバー４２４がＬＥＤユニット４０１を覆うので、ＬＥＤユニット４０１の損傷の発生を防止することができる。ＬＥＤユニット４０１が保持装置４０２に取り付けられるので、保持装置４０２を手摺ガイドレール２に取り付けることによって、ＬＥＤユニット４０１も同時に手摺ガイドレール２に取り付けることができ、取付作業の効率化を図ることができる。
【００６５】
なお、各上記実施の形態では、切欠き部４０８が基板４０４の幅方向両端部に形成された構成について説明したが、切欠き部４０８は、基板４０４の幅方向一端部にのみ形成された構成であってもよい。この場合、一対の爪部４１１のうちの一方の爪部４１１のみが切欠き部４０８を通って、保持部材４０９を基板４０４の表面側から裏面側に移動させ、さらに、保持部材４０９の幅方向中心と基板４０４の幅方向中心とが一致するように、保持部材４０９を幅方向に移動させた後、保持部材４０９に対して基板４０４をスライドさせることによって、一対の爪部４１１が基板を支持する。
【００６６】
また、各上記実施の形態では、乗客コンベヤ欄干照明装置として、エスカレータ欄干照明装置４を例に説明したが、動く歩道欄干照明装置であってもよい。
【符号の説明】
【００６７】
１  欄干、２  手摺ガイドレール、３  移動手摺、４  エスカレータ欄干照明装置（乗客コンベヤ欄干照明装置）、１０１  欄干柱、１０２  欄干柱カバー、１０３  内側板、２０１  手摺ガイドレール基部、２０２  手摺案内部材、２０３  固定装置、２０４  ベース部、２０５  貫通孔、２０６  貫通孔、２０７  ボルト、２０８  ナット、２０９  ナット、２１０  貫通孔、４０１  ＬＥＤユニット（発光装置）、４０２  保持装置、４０３  照明カバー装置、４０４  基板、４０５  ＬＥＤ素子（発光素子）、４０６  電線、４０７  薄肉部、４０８  切欠き部、４０９  保持部材、４１０  支持部材、４１１  爪部、４１２  連結部、４１３  皿孔、４１４  ブラケット、４１５  皿ねじ、４１６  ナット、４１７  ボルト、４１８  ナット、４１９  上辺部、４２０  下方延部、４２１  下辺部、４２２  貫通孔、４２３  貫通孔、４２４  照明カバー、４２５  押さえ部材、４２６  ボルト、４２７  座金、４２８  カラー、４２９  ナット、４３０  すり割り、４３１  ねじ孔、４３２  ケース、４３３  支持金、４３４  取付ねじ、４３５  基部、４３６  腕部、４３７  貫通孔、４３８  ねじ孔、４３９  ねじ溝、４４０  貫通孔、４４１  切欠き部、４４２  照明カバー取付部材、４４３  皿ねじ、４４４  ナット。
【図１】
2014118226.tif 000003
【図２】
2014118226.tif 000004
【図３】
2014118226.tif 000005
【図４】
2014118226.tif 000006
【図５】
2014118226.tif 000007
【図６】
2014118226.tif 000008
【図７】
2014118226.tif 000009
【図８】
2014118226.tif 000010
【図９】
2014118226.tif 000011
【図１０】
2014118226.tif 000012
【図１１】
2014118226.tif 000013
【図１２】
2014118226.tif 000014
【図１３】
2014118226.tif 000015
【図１４】
2014118226.tif 000016
【図１５】
2014118226.tif 000017
【図１６】
2014118226.tif 000018
【図１７】
2014118226.tif 000019
【図１８】
2014118226.tif 000020
【図１９】
2014118226.tif 000021
【図２０】
2014118226.tif 000022
【図２１】
2014118226.tif 000023
【図２２】
2014118226.tif 000024
【図２３】
2014118226.tif 000025
【図２４】
2014118226.tif 000026
【図２５】
2014118226.tif 000027
【図２６】
2014118226.tif 000028
【図２７】
2014118226.tif 000029
【図２８】
2014118226.tif 000030
【図２９】
2014118226.tif 000031
【図３０】
2014118226.tif 000032
【図３１】
2014118226.tif 000033
【図３２】
2014118226.tif 000034
【図３３】
2014118226.tif 000035
【図３４】
2014118226.tif 000036
【図３５】
2014118226.tif 000037